【手続補正書】
【提出日】平成26年7月15日(2014.7.15)
【手続補正１】
【補正対象書類名】特許請求の範囲
【補正対象項目名】全文
【補正方法】変更
【補正の内容】
【特許請求の範囲】
【請求項１】
駐車場の通路に配設され踏み付けられた場合に所定電力を発電する発電ブロックと、
前記駐車場に設置され、前記発電ブロックにより発電された電力により点灯される表示灯と、
を備えていることを特徴とする駐車場の安全システム。
【請求項２】
前記発電ブロックは、駐車場の前記通路のうち少なくとも歩行者通路に配設され歩行者に踏み付けられた場合に所定電力を発電することを特徴とする請求項１に記載の駐車場の安全システム。
【請求項３】
前記歩行者通路を複数のエリアに区分けするとともに、前記各エリアごとに前記表示灯を設置し、前記各エリアに設置された前記発電ブロックを当該エリアの前記各表示灯に接続したことを特徴とする請求項２に記載の駐車場の安全システム。
【請求項４】
前記発電ブロックが接続されて前記発電ブロックの設置位置情報を取得し、この発電ブロックの設置位置情報に基づいて、いずれの位置の前記発電ブロックにより発電されたか否かを判断し、前記発電ブロックの発電状況から歩行者がいずれの方向に歩行しているかを判断する判断部を備えた制御装置をさらに備えており、
前記制御装置は、前記判断部により、歩行者が踏んだ発電ブロックの設置位置情報に基づいて歩行者がいずれの方向に歩行しているかを判断した場合に、歩行者の進行方向に設置された表示灯を点灯するように制御することを特徴とする請求項２または請求項３に記載の駐車場の安全システム。
【請求項５】
前記制御装置は、前記発電ブロックにより発電された電力を蓄電する蓄電池をさらに備え、前記表示灯は、前記蓄電池に蓄電された電力により点灯されることを特徴とする請求項４に記載の駐車場の安全システム。
【請求項６】
前記発電ブロックは、駐車場の前記通路のうち少なくとも車両通路に配設され車両に踏み付けられた場合に所定電力を発電することを特徴とする請求項１に記載の駐車場の安全システム。
【手続補正２】
【補正対象書類名】明細書
【補正対象項目名】０００７
【補正方法】変更
【補正の内容】
【０００７】
本発明は前記目的を達成するために、請求項１に係る発明は、駐車場の通路に配設され踏み付けられた場合に所定電力を発電する発電ブロックと、
前記駐車場に設置され、前記発電ブロックにより発電された電力により点灯される表示灯と、
を備えていることを特徴とする。
請求項２に係る発明は、請求項１において、前記発電ブロックは、駐車場の前記通路のうち少なくとも歩行者通路に配設され歩行者に踏み付けられた場合に所定電力を発電することを特徴とする。
【手続補正３】
【補正対象書類名】明細書
【補正対象項目名】０００８
【補正方法】変更
【補正の内容】
【０００８】
請求項３に係る発明は、請求項２において、前記歩行者通路を複数のエリアに区分けするとともに、前記各エリアごとに前記表示灯を設置し、前記各エリアに設置された前記発電ブロックを当該エリアの前記各表示灯に接続したことを特徴とする。
【手続補正４】
【補正対象書類名】明細書
【補正対象項目名】０００９
【補正方法】変更
【補正の内容】
【０００９】
請求項４に係る発明は、請求項２または請求項３において、前記発電ブロックが接続されて前記発電ブロックの設置位置情報を取得し、この発電ブロックの設置位置情報に基づいて、いずれの位置の前記発電ブロックにより発電されたか否かを判断し、前記発電ブロックの発電状況から歩行者がいずれの方向に歩行しているかを判断する判断部を備えた制御装置をさらに備えており、
前記制御装置は、前記判断部により、歩行者が踏んだ発電ブロックの設置位置情報に基づいて歩行者がいずれの方向に歩行しているかを判断した場合に、歩行者の進行方向に設置された表示灯を点灯するように制御することを特徴とする。
【手続補正５】
【補正対象書類名】明細書
【補正対象項目名】００１０
【補正方法】変更
【補正の内容】
【００１０】
請求項５に係る発明は、請求項４において、前記制御装置は、前記発電ブロックにより発電された電力を蓄電する蓄電池をさらに備え、前記表示灯は、前記蓄電池に蓄電された電力により点灯されることを特徴とする。
【手続補正６】
【補正対象書類名】明細書
【補正対象項目名】００１１
【補正方法】変更
【補正の内容】
【００１１】
請求項６に係る発明は、請求項１において、前記発電ブロックは、駐車場の前記通路のうち少なくとも車両通路に配設され車両に踏み付けられた場合に所定電力を発電することを特徴とする。
【手続補正７】
【補正対象書類名】明細書
【補正対象項目名】００１２
【補正方法】変更
【補正の内容】
【００１２】
請求項１に係る発明によれば、通路に発電ブロックを設置し、例えば歩行者や車両が発電ブロックを踏むことにより発電された電力により表示灯を点灯させるようにしているので、車両の運転者や歩行者に対して近くに歩行者や車両がいる旨注意を促すことができ、駐車場内の安全性を著しく高めることができる。しかも、発電ブロックにより発電を行うものであるため、大規模な電源配線工事が不要となり、既設の駐車場に対して、発電ブロックおよび表示灯を設置するだけで、駐車場の安全性を高めることができ、設備工事が簡単で、設備コストの低減を図ることができる。
請求項２に係る発明によれば、歩行者通路に発電ブロックを設置し、歩行者が発電ブロックを踏むことにより発電された電力により表示灯を点灯させるようにしているので、車両の運転者に対して近くに歩行者がいる旨注意を促すことができ、駐車場内の安全性を著しく高めることができる。
【手続補正８】
【補正対象書類名】明細書
【補正対象項目名】００１３
【補正方法】変更
【補正の内容】
【００１３】
請求項３に係る発明によれば、歩行者通路を複数のエリアに区分けし、各エリアごとに表示灯を設置し、前記各エリアに設置された前記発電ブロックにより当該エリアの各表示灯を点灯させるようにしているので、各エリア付近を走行する車両の運転者に対して近くに歩行者がいる旨注意を促すことができ、駐車場内の安全性を著しく高めることができる。 
【手続補正９】
【補正対象書類名】明細書
【補正対象項目名】００１４
【補正方法】変更
【補正の内容】
【００１４】
請求項４に係る発明によれば、制御装置により、判断部により歩行者が踏んだ発電ブロックの設置位置情報に基づいて歩行者がいずれの方向に歩行しているかを判断した場合に、歩行者の進行方向に設置された表示灯を点灯するように制御するようにしているので、車両の運転者に対して、歩行者の進行方向に応じて近くに歩行者がいる旨注意を促すことができ、駐車場内の安全性を著しく高めることができる。
【手続補正１０】
【補正対象書類名】明細書
【補正対象項目名】００１５
【補正方法】変更
【補正の内容】
【００１５】
請求項５に係る発明によれば、制御装置に発電ブロックにより発電された電力を蓄電する蓄電池を設け、表示灯を蓄電池に蓄電された電力により点灯するようにしているので、安定して表示灯を点灯させることができる。
【手続補正１１】
【補正対象書類名】明細書
【補正対象項目名】００１６
【補正方法】変更
【補正の内容】
【００１６】
請求項６に係る発明によれば、車両通路に発電ブロックを設置し、車両が発電ブロックを踏むことにより発電された電力により表示灯を点灯させるようにしているので、歩行者に対して近くに車両が存在する旨注意を促すことができ、駐車場内の安全性を著しく高めることができる。